(57)【要約】【課題】本発明の課題は、医用画像撮影装置のセキュリティを向上させるとともに、技師の医療行為を管理して医用画像撮影における安全性、信頼性の向上を図ることである。【解決手段】医用画像撮影システム１において、移動可能な撮影装置３０により、回診先にて医用画像の撮影を行う医用画像撮影システム１において、撮影装置３０に接続されたＰＤＡ１０から、撮影者を一意的に特定する撮影者ＩＤを入力させ、撮影装置３０は、入力された撮影者ＩＤに基づいて撮影者の認証を行い、認証が成功した場合に、ＰＤＡ１０により撮影装置３０を操作させて撮影を行う。また、撮影装置３０により撮影を行った場合、撮影を行った撮影者の撮影者ＩＤと、撮影日時や撮影条件等を含む撮影履歴情報とを対応付けて撮影者管理ファイル３８１に記憶する。【選択図】      図１
2004147907.tif 000002
【特許請求の範囲】
【請求項１】
放射線を照射して医用画像の撮影を行う医用画像撮影装置と、前記医用画像撮影装置に接続される医用画像端末装置と、を備える医用画像撮影システムであって、
医用画像端末装置は、
撮影者の識別情報及び撮影指示のうち少なくとも一つを入力する入力部と、
前記撮影者の識別情報及び撮影指示のうち少なくとも一つを送信する送信部と、を備え、
医用画像撮影装置は、
被験体に放射線を照射する照射部と、
前記撮影者の識別情報及び撮影指示のうち少なくとも一つを受信する受信部と、
前記受信した撮影者の識別情報に基づいて、当該撮影者の認証を行う認証手段と、
前記認証手段により、撮影者が認証された場合に、前記受信した撮影指示に基づいて、前記照射部を制御して撮影動作を行う撮影動作制御手段と、
を備えることを特徴とする医用画像撮影システム。
【請求項２】
医用画像撮影装置において、
撮影指示を入力する入力部を備え、
前記撮影動作制御手段は、前記認証手段により、撮影者が認証された場合に、前記入力された撮影指示又は前記受信した撮影指示に基づいて、前記照射部を制御して撮影動作を行うことを特徴とする請求項１記載の医用画像撮影システム。
【請求項３】
医用画像端末装置において、
前記入力部は、撮影条件を入力し、
前記送信部は、前記撮影条件を送信し、
医用画像撮影装置において、
前記受信部は、前記撮影条件を受信し、
前記撮影動作制御手段は、前記撮影条件及び撮影指示に基づいて、前記照射部を制御して撮影動作を行うことを特徴とする請求項１又は２記載の医用画像撮影システム。
【請求項４】
前記医用画像撮影装置において、
前記撮影動作制御手段により撮影動作が行われた場合に、当該撮影動作における撮影条件を含む撮影履歴情報を前記撮影者の識別情報に対応付けて記憶する記憶装置を備えることを特徴とする請求項３記載の医用画像撮影システム。
【請求項５】
前記医用画像端末装置は、持ち運び可能な携帯型端末装置であることを特徴とする請求項１から４のいずれか一項に記載の医用画像撮影システム。
【請求項６】
放射線を照射して医用画像の撮影を行う医用画像撮影装置であって、
被験体に放射線を照射する照射部と、
撮影者の識別情報及び撮影指示を入力する入力部と、
前記入力された撮影者の識別情報に基づいて、当該撮影者の認証を行う認証手段と、
前記認証手段により、前記撮影者が認証された場合に、前記入力された撮影指示に基づいて、前記照射部を制御して撮影動作を行わせる撮影動作制御手段と、
を備えることを特徴とする医用画像撮影装置。
【請求項７】
前記入力部は、撮影条件を入力し、
前記撮影動作制御手段は、前記入力された撮影条件及び撮影指示に基づいて、前記照射部を制御して撮影動作を行うことを特徴とする請求項６記載の医用画像撮影装置。
【請求項８】
前記撮影動作制御手段により撮影動作が行われた場合に、当該撮影動作における撮影条件を含む撮影履歴情報を前記撮影者の識別情報に対応付けて記憶する記憶装置を備えることを特徴とする請求項７記載の医用画像撮影装置。
【請求項９】
放射線を照射して医用画像の撮影を行う医用画像撮影方法であって、
撮影者の識別情報及び撮影指示のうち少なくとも一つを入力する工程と、
前記撮影者の識別情報及び撮影指示のうち少なくとも一つを送信する工程と、
撮影者の識別情報又は撮影指示のうち少なくとも一つを受信する工程と、
前記受信した撮影者の識別情報に基づいて、当該撮影者の認証を行う工程と、前記撮影者が認証された場合に、前記受信した撮影指示に基づいて、放射線を照射させて撮影動作を行う工程と、
を含むことを特徴とする医用画像撮影方法。
【請求項１０】
撮影指示を入力する工程と、
前記撮影者が認証された場合に、前記入力された撮影指示又は前記受信した撮影指示に基づいて、放射線を照射させて撮影動作を行う工程と、
を含むことを特徴とする請求項９記載の医用画像撮影方法。
【請求項１１】
撮影条件を入力する工程と、
前記撮影条件を送信する工程と、
前記撮影条件を受信する工程と、
前記撮影条件及び撮影指示に基づいて、放射線を照射させて撮影動作を行う工程と、
を含むことを特徴とする請求項９又は１０記載の医用画像撮影方法。
【請求項１２】
前記撮影動作が行われた場合に、当該撮影動作における撮影条件を含む撮影履歴情報を前記撮影者の識別情報に対応付けて記憶する工程を含むことを特徴とする請求項１１記載の医用画像撮影方法。
【請求項１３】
コンピュータに、
被験体に放射線を照射する機能と、
撮影者の識別情報及び撮影指示を入力する機能と、
前記入力された撮影者の識別情報に基づいて、当該撮影者の認証を行う機能と、
前記撮影者が認証された場合に、前記入力された撮影指示に基づいて、放射線を照射させて撮影動作を行う機能と、
を実現させるためのプログラム。
【請求項１４】
コンピュータに、
撮影条件を入力する機能と、
前記撮影条件及び撮影指示に基づいて、放射線を照射させて撮影動作を行う機能と、
を実現させるための請求項１３記載のプログラム。
【請求項１５】
コンピュータに、
前記撮影動作が行われた場合に、当該撮影動作における撮影条件を含む撮影履歴情報を前記撮影者の識別情報に対応付けて記憶する機能を実現させるための請求項１４記載のプログラム。
【発明の詳細な説明】
【０００１】
【発明の属する技術分野】
本発明は、医用画像撮影システム、医用画像撮影装置、医用画像撮影方法及びプログラムに関するものである。
【０００２】
【従来の技術】
医療の分野においては、例えば、コンピュータ断層画像撮影装置（以下、「ＣＴ（Ｃｏｍｐｕｔｅｄ  Ｔｏｍｏｇｒａｐｈｙ）」と記す）やコンピュータ放射線画像撮影装置（以下、「ＣＲ（Ｃｏｍｐｕｔｅｄ  Ｒａｄｉｏｇｒａｐｈｙ）」と記す）、核磁気共鳴イメージング装置（以下、「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは、被験体である患者を撮影し、その撮影した医用画像をデジタル画像データとして取得するシステムである。
【０００３】
なかでも、放射線画像撮影装置は、支持体上に輝尽性蛍光体層を形成した医用画像変換パネルを使用するもので、この変換パネルの輝尽性蛍光体層に被写体を透過した放射線を吸収させ、被写体各部の放射線透過度に対応する放射線エネルギーを蓄積させて潜像を形成する。その後、この蛍光体層を赤外線等の輝尽励起光で走査することにより蓄積された放射線エネルギーを蛍光として放射させてその蛍光を光電変換し、医用画像信号を得るものである。このようにして取得された医用画像は画像処理を施された後にフィルム、或いはＣＲＴ等の出力装置に出力されて可視化されたり、サーバ等のファイリング装置に患者の情報とともに保存され、医療活動に利用されている。
【０００４】
このような放射線画像撮影装置を利用した医用画像撮影システムには、大きく分けて二つのシステム構成がとられる。一つは、画像の撮影及び読み取りを行う装置と、輝尽性蛍光体プレートとを撮影室に固定して設置し、撮影室にて撮影を行う従来の医用画像撮影システムである。このシステムにおいては、撮影室にて撮影と同時に画像の読み取りを行うことができる。
【０００５】
また、近年では、骨折や脳血管疾患等の患者や集中治療室にて管理中の患者等、撮影室にて撮影が行えない患者の為に、回診用の移動可能な撮影装置と、蛍光体プレートを内蔵した持ち運び可能なカセッテとを利用して、回診先において撮影を行う医用画像撮影システムが普及している。このシステムにおいては、撮影後にカセッテ専用の読取装置にカセッテを挿入し、撮影した画像の読み取りを行う。
【０００６】
上述した回診先にて撮影を行う医用画像撮影システムにおいて、技師が撮影を行う過程を以下に説明する。まず、技師は、病院内の情報管理システム（以下、「ＨＩＳ（Ｈｏｓｐｉｔａｌ  Ｉｎｆｏｒｍａｔｉｏｎ  Ｓｙｓｔｅｍ）と記す）や放射線科内の情報管理システム（以下、「ＲＩＳ（Ｒａｄｉｏｌｏｇｙ  Ｉｎｆｏｒｍａｔｉｏｎ  Ｓｙｓｔｅｍ）と記す）等において、医師からの指示により作成された撮影オーダ情報をオーダ用紙に印刷する。この撮影オーダ情報には、撮影する患者の氏名や性別等の患者に関する情報（以下、「患者情報」と記す）や、撮影部位や撮影方法等の撮影に関する情報（以下、「撮影情報」と記す）が含まれ、どの患者に対して、どのような撮影を行うかといった指示が示されている。
【０００７】
次いで、移動可能な撮影装置、カセッテ、オーダ用紙等を患者がいる病室に搬送し、オーダ用紙に印刷された撮影オーダ情報に基づいて撮影対象となる患者の確認を行う。続いて、技師は、患者の確認が取れた後に、撮影装置を操作して撮影を実行し、医用画像をカセッテに記録する。そして、撮影終了後、医用画像が記録されたカセッテをカセッテ用の読取装置に挿入し、カセッテから医用画像を読み取る。
【０００８】
ところで、上述したように、医師から指示されたオーダが各箇所で正しく伝達され、注意深く実施されれば良いが、しばしば撮影の際に患者やオーダの取り違い等の医療ミスが発生する。このような医療ミスが発生した場合、医師や看護婦の他、技師、療法士、薬剤師等の多くの医療スタッフ携わっている医療現場では、医療ミスが発生した原因を特定することが困難であった。そこで、このような医療ミスを防止するため医師、看護婦等の医療従事者が行った医療行為を記録する医療用携帯型端末器が知られている（例えば、特許文献１参照）。これにより、医療従事者がどの患者に対してどのような医療行為を行ったかを明確にすることができ、医療過誤の防止を図ることができる。
【０００９】
【特許文献１】
特開２００２−８３０６５号公報
【００１０】
【発明が解決しようとする課題】
しかしながら、従来の医用画像撮影システムにおいては、上述した医療用携帯型端末器により技師の医療行為が管理されることは少なかった。また、上述した移動可能な医用画像撮影装置にあっては、撮影室以外で使用されることがほとんどであり、専門の技師以外の人間により操作が可能となるため、誤って第３者により装置が操作されてしまう可能性があった。医用画像撮像装置は、人体に影響を及ぼすＸ線を出射する装置であるため、その取り扱いには安全性、正確性を必要とする。
【００１１】
本発明の課題は、医用画像撮影装置のセキュリティを向上させるとともに、技師の医療行為を管理して安全性、信頼性の高い医用画像撮影システム、医用画像撮影装置、医用画像撮影方法及びプログラムを提供することである。
【００１２】
【課題を解決するための手段】
上記課題を解決するために、請求項１記載の発明は、
放射線を照射して医用画像の撮影を行う医用画像撮影装置と、前記医用画像撮影装置に接続される医用画像端末装置と、を備える医用画像撮影システムであって、
医用画像端末装置は、
撮影者の識別情報及び撮影指示を入力する入力部と、
前記撮影者の識別情報及び撮影指示を送信する送信部と、を備え、
医用画像撮影装置は、
被験体に放射線を照射する照射部と、
前記撮影者の識別情報又は撮影指示を受信する受信部と、
前記受信した撮影者の識別情報に基づいて、当該撮影者の認証を行う認証手段と、
前記認証手段により、撮影者が認証された場合に、前記受信した撮影指示に基づいて、前記照射部を制御して撮影動作を行う撮影動作制御手段と、
を備えることを特徴とする。
【００１３】
したがって、医用画像撮影装置を操作する際に、撮影者の識別情報を医用画像端末装置を介して医用画像撮影装置に取得させ、医用画像撮影装置において、撮影者の認証が成功した場合に、医用画像端末装置から送信された撮影指示に応じて、医用画像の撮影が行われるため、予め撮影者として登録されている撮影者以外による撮影指示による医用画像の撮影は行えず、不用意に第３者に医用画像撮影装置が操作されてしまうことを防止することができる。
【００１４】
請求項２記載の発明は、請求項１記載の医用画像撮影システムであって、
医用画像撮影装置において、
撮影指示を入力する入力部を備え、
前記撮影動作制御手段は、前記認証手段により撮影者が認証された場合に、前記入力された撮影指示又は前記受信した撮影指示に基づいて、前記照射部を制御して撮影動作を行うことを特徴とする。
【００１５】
したがって、撮影者が認証されていない場合は、医用画像端末装置又は医用画像撮影装置の入力部から撮影指示が入力されても、撮影動作を行うことができず、誤って第３者により医用画像撮影装置が操作されることを防いで、安全に医用画像撮影装置を取り扱うことができる。
【００１６】
請求項３記載の発明は、請求項１又は２記載の医用画像撮影システムであって、
医用画像端末装置において、
前記入力部は、撮影条件を入力し、
前記送信部は、前記撮影条件を送信し、
医用画像撮影装置において、
前記受信部は、前記撮影条件を受信し、
前記撮影動作制御手段は、前記撮影条件及び撮影指示に基づいて、前記照射部を制御して撮影動作を行うことを特徴とする。
【００１７】
したがって、医用画像端末装置を介して医用画像撮影装置に撮影条件を入力することができるため、操作性が良い。また、例えば、医用画像撮影装置の入力部を小型化することができるため、回診先に医用画像撮影装置を搬送して撮影を行う場合、容易に医用画像撮影装置を搬送することができ、迅速に医用画像の撮影を行うことができる。
【００１８】
請求項４記載の発明は、請求項３記載の医用画像撮影システムであって、
前記医用画像撮影装置において、
前記撮影動作制御手段により撮影動作が行われた場合に、当該撮影動作における撮影条件を含む撮影履歴情報を前記撮影者の識別情報に対応付けて記憶する記憶装置を備えることを特徴とする。
【００１９】
したがって、撮影者が行った撮影の履歴を撮影者の識別情報と対応付けて記憶するため、例えば、医療ミス等が発生した場合に、速やかに原因を究明して、医療ミスの再発を防止することができる。また、撮影者の撮影の履歴を記憶することにより、撮影者に対して医療ミス発生の抑止効果を期待することができる。
【００２０】
請求項５記載の発明は、請求項１から４のいずれか一項に記載の医用画像撮影システムであって、
前記医用画像端末装置は、持ち運び可能な携帯型端末装置であることを特徴とする。
【００２１】
したがって、医用画像端末装置が持ち運び可能な携帯型端末装置であるため、例えば、各撮影者のそれぞれに医用画像端末装置を携帯させることができ、特定の撮影者のみに医用画像装置の操作を可能にし、医用画像撮影システムのセキュリティを向上させることができる。また、医用画像端末装置を小型化することにより、例えば、回診先で撮影を行う場合に、機材の搬送が容易になり、撮影者の負担を軽減することができる。
【００２２】
請求項６記載の発明は、
放射線を照射して医用画像の撮影を行う医用画像撮影装置であって、
被験体に放射線を照射する照射部と、
撮影者の識別情報及び撮影指示を入力する入力部と、
前記入力された撮影者の識別情報に基づいて、当該撮影者の認証を行う認証手段と、
前記認証手段により、前記撮影者が認証された場合に、前記入力された撮影指示に基づいて、前記照射部を制御して撮影動作を行わせる撮影動作制御手段と、
を備えることを特徴とする。
【００２３】
請求項７記載の発明は、請求項５又は６記載の医用画像撮影装置において、
前記入力部は、撮影条件を入力し、
前記撮影動作制御手段は、前記入力された撮影条件及び撮影指示に基づいて、前記照射部を制御して撮影動作を行うことを特徴とする。
【００２４】
請求項８記載の発明は、請求７記載の医用画像撮影装置において、
前記撮影動作制御手段により撮影動作が行われた場合に、当該撮影動作における撮影条件を含む撮影履歴情報を前記撮影者の識別情報に対応付けて記憶する記憶装置を備えることを特徴とする。
【００２５】
請求項９記載の発明は、
放射線を照射して医用画像の撮影を行う医用画像撮影方法であって、
撮影者の識別情報及び撮影指示を入力する工程と、
前記撮影者の識別情報及び撮影指示を送信する工程と、
撮影者の識別情報又は撮影指示を受信する工程と、
前記撮影者の識別情報に基づいて、当該撮影者の認証を行う工程と、
前記撮影者が認証された場合に、前記受信した撮影指示に基づいて、放射線を照射させて撮影動作を行う工程と、
を含むことを特徴とする。
【００２６】
請求項１０記載の発明は、請求項９記載の医用画像撮影方法において、
撮影指示を入力する工程と、
前記撮影者が認証された場合に、前記入力された撮影指示又は前記受信した撮影指示に基づいて、放射線を照射させて撮影動作を行う工程と、
を含むことを特徴とする。
【００２７】
請求項１１記載の発明は、請求項９又は１０記載の医用画像撮影方法において、
撮影条件を入力する工程と、
前記撮影条件を送信する工程と、
前記撮影条件を受信する工程と、
前記撮影条件及び撮影指示に基づいて、放射線を照射させて撮影動作を行う工程と、
を含むことを特徴とする。
【００２８】
請求項１２記載の発明は、請求項１１記載の医用画像撮影方法において、
前記撮影動作が行われた場合に、当該撮影動作における撮影条件を含む撮影履歴情報を前記撮影者の識別情報に対応付けて記憶する工程を含むことを特徴とする。
【００２９】
請求項１３記載の発明は、
コンピュータに、
被験体に放射線を照射する機能と、
撮影者の識別情報及び撮影指示を入力する機能と、
前記撮影者の識別情報に基づいて、当該撮影者の認証を行う機能と、
前記撮影者が認証された場合に、前記撮影指示に基づいて、放射線を照射させて撮影動作を行う機能と、
を実現させるためのプログラムであることを特徴とする。
【００３０】
請求項１４記載の発明は、請求項１３記載のプログラムにおいて、
コンピュータに、
撮影条件を入力する機能と、
前記撮影条件及び撮影指示に基づいて、放射線を照射させて撮影動作を行う機能と、
を実現させることを特徴とする。
【００３１】
請求項１５記載の発明は、請求項１３又は１４記載のプログラムにおいて、
コンピュータに、
前記撮影動作が行われた場合に、当該撮影動作における撮影条件を含む撮影履歴情報を前記撮影者の識別情報に対応付けて記憶する機能を実現させることを特徴とする。
【００３２】
【発明の実施の形態】
以下、図を参照して本発明の実施の形態を詳細に説明する。ただし、発明の範囲は、図示例に限定されない。なお、以下では、本発明の医用画像端末装置が、持ち運び可能な携帯情報端末（以下、「ＰＤＡ（Ｐｅｒｓｏｎａｌ  Ｄｉｇｉｔａｌ  Ａｓｓｉｓｔａｎｔ）」と記す）に適用された場合を例として説明を行う。
【００３３】
まず、本実施の形態の構成を説明する。
図１は、本発明に係る医用画像撮影システム１のシステム構成を示す概念図である。図１に示すように、医用画像撮影システム１は、ＰＤＡ１０、情報管理装置２０、医用画像撮影装置３０、カセッテ４０、カセッテ用の医用画像読取装置５０、制御装置６０等から構成されており、ＰＤＡ１０、情報管理装置２０及び制御装置６０は、ネットワークＮを介して接続されており、各装置は相互にアクセスが可能な構成となっている。
【００３４】
ＰＤＡ１０は、医用画像撮影装置３０を操作する技師等が携帯する携帯型情報端末装置である。ＰＤＡ１０は、ケーブルＢを介して医用画像撮影装置３０に接続され、医用画像装置３０との間で撮影者の認証を行うとともに、医用画像撮影装置３０に撮影条件、撮影指示を送信する。また、ＰＤＡ１０は、ネットワークＮを介して情報管理装置２０から撮影オーダ情報を受信する。
【００３５】
情報管理装置２０は、医師から指示された撮影オーダ情報を一括して管理する端末であり、ＰＤＡ１０からの要求指示に応じて、撮影オーダ情報を抽出し、ネットワークＮを介してＰＤＡ１０に撮影オーダ情報を送信する。なお、他の情報管理装置として、撮影オーダ情報の予約受付を行う受付装置（図示せず）を適用しても良く、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）等の情報管理システムを適用することとしてもよい。
【００３６】
医用画像撮影装置（以下、「撮影装置」と略記する）３０は、移動可能な撮影装置であり、回診先において患者の撮影を行い、装置本体に着脱可能なカセッテ４０に医用画像を記録する。カセッテ４０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。
【００３７】
医用画像読取装置５０は、カセッテ４０に記録された医用画像を読み取るカセッテ用の医用画像読取装置である。医用画像読取装置５０は、カセッテ４０の輝尽性蛍光体シートに励起光を照射し、これによりシートから発光される輝尽光を光電変換し、得られた画像信号をＡ／Ｄ変換して、医用画像を取得する。
【００３８】
制御装置６０は、医用画像読取装置５０の読み取り動作を制御する装置であり、画像管理のために情報管理装置２０から受信した撮影オーダ情報と、カセッテ４０から読み取った医用画像との対応付けを行いデータベースに記憶させ、医用画像を管理する。
【００３９】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することが好ましい。
【００４０】
次に、本発明において主要な構成要素となる各装置について詳細に説明する。図２は、ＰＤＡ１０の機能的構成を示すブロック図である。図２に示すように、ＰＤＡ１０は、ＣＰＵ１１、操作部１２、表示部１３、通信制御部１５、ＲＡＭ１６、記憶装置１７、バーコードリーダ１８等から構成され、各部はバス１９により接続されている。
【００４１】
ＣＰＵ（Ｃｅｎｔｒａｌ  Ｐｒｏｃｅｓｓｉｎｇ  Ｕｎｉｔ）１１は、記憶部１６に格納されているシステムプログラム及び各種アプリケーションプログラムの中から指定されたプログラムをＲＡＭ１６に展開し、当該プログラムに従ってＰＤＡ１０の各部を集中制御する。具体的にＣＰＵ１１は、記憶装置１７から医用画像撮影処理プログラムを読み出して、後述する医用画像撮影処理（図５参照）を実行する。
【００４２】
この医用画像撮影処理を実行するに際して、ＣＰＵ１１は、操作部１２又はバーコードリーダ１８を介して撮影者ＩＤが入力されると、ケーブルＢにより接続された撮影装置３０に、Ｉ／Ｆ１４を介して撮影者ＩＤを送信する。また、ＣＰＵ１１は、Ｉ／Ｆ１４を介して撮影装置３０から認証結果を受信し、認証結果に基づいて、撮影者の撮影が許可されているか否かを判断する。認証に失敗している場合、ＣＰＵ１１は、表示部１３にエラー画面を表示して再度撮影者ＩＤを入力させる。ここで、特定回数（例えば、３回）認証に失敗した場合は、医用画像撮影処理を終了する。
【００４３】
また、認証に成功している場合、ＣＰＵ１１は、操作部１２を介して撮影条件を入力させ、入力された撮影条件を撮影装置３０に送信する。ここで、撮影条件は、例えば、オーダ情報に含まれる撮影情報の他に、解像度、感度、撮影サイズ、撮影方向、Ｘ線照射の線量情報等の詳細な条件を含んでいる。なお、撮影条件を送信する際に、記憶装置１７から撮影オーダ情報を取得し、撮影条件と合わせて、撮影オーダ情報を送信する構成であっても良い。さらに、ＣＰＵ１１は、操作部１２を介して撮影者から撮影指示が入力されると、入力された撮影指示を撮影装置３０に送信して、撮影を行わせる。
【００４４】
操作部１２は、本発明に記載される入力部の一例であり、カーソルキー、数字キー及び各種機能キー等を備えて構成され、撮影者により操作されたキーに対応する操作信号をＣＰＵ１１に出力する。例えば、操作部１２は、撮影者の操作に応じて、撮影者の識別情報となる撮影者ＩＤを入力する。なお、操作部１２は、必要に応じてタッチパネル等のポインティングデバイスや、その他の入力装置を備えるものとしてもよい。
【００４５】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報、撮影者ＩＤ等の各種情報を表示する。
【００４６】
Ｉ／Ｆ１４は、本発明に記載される送信部の一例であり、ケーブルＢを介して送受信されるデータの形式や転送速度の調整を行い、撮影装置３０との間でデータのやりとりを仲介する。また、撮影装置３０との接続は有線に限らず、無線通信により接続される構成であっても良い。この場合、Ｉ／Ｆ１４は、ＩｒＤＡ（Ｉｎｆｒａｒｅｄ  Ｄａｔａ  Ａｓｓｏｃｉａｔｉｏｎ）等のデータ通信方式に基づいてデータ通信プロトコルを制御するデータ通信制御機能を有し、赤外線を利用して近距離通信を行う。また、無線通信を行うための通信方式としては、ＩｒＤＡに限らず、例えば、Ｂｌｕｅｔｏｏｔｈ方式を採用してもよい。
【００４７】
通信制御部１５は、ネットワークインターフェースカード、モデム又はターミナルアダプタ等により受信部及び送信部を構成し、ネットワークＮ上の外部機器との通信を制御する。例えば、通信制御部１５は、情報管理装置２０と無線通信を確立し、ネットワークＮを介して撮影オーダ情報の要求指示を送信するとともに、情報管理装置２０から撮影オーダ情報を受信する。なお、この場合、必要であればＰＨＳ等の携帯電話端末を利用して無線通信を確立する構成であってもよい。
【００４８】
ＲＡＭ（Ｒａｎｄｏｍ  Ａｃｃｅｓｓ  Ｍｅｍｏｒｙ）１６は、前述の指定されたアプリケーションプログラム、入力指示、入力データ及び処理結果等を格納するワークメモリエリアを有する。
【００４９】
記憶装置１７は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１７に固定的に設けられるもの又は着脱自在に装着するものである。
【００５０】
また、記憶装置１７は、情報管理装置２０から受信した撮影オーダ情報を格納するための撮影オーダ情報ファイル１６１を記憶している。撮影オーダ情報ファイル１６１は、撮影オーダＩＤ、患者ＩＤ、氏名、性別、年齢、病室、依頼科、撮影部位、撮影枚数、カセッテＩＤを格納するための項目を有し、撮影オーダ情報毎に各項目に対応するデータを格納する。
【００５１】
また、撮影オーダ情報には、患者情報として患者ＩＤ、氏名、性別、年齢の他、例えば、担当医師名、感染症等を警告する警告情報、薬物アレルギーの有無、妊娠の有無、追加病歴、車椅子や担架等の特別な介護の必要性、臨床診断名、守秘事項等の各種患者情報が格納される構成であっても良い。また、撮影情報として撮影部位、撮影装置、枚数の他、例えば、撮影方法（単純撮影、造影撮影等）、撮影予定日等の各種撮影情報が格納される構成であっても良い。
【００５２】
バーコードリーダ１８は、撮影者の識別情報となる撮影者ＩＤを入力するための入力部の一例であり、光学的な読み取り装置であるスキャナを有している。このスキャナにてバーコードを読み取り、所定の規格に従ってデコードすることにより、バーコードが示す情報を取得する。具体的に、バーコードリーダ１８は、撮影者のＩＤカード等に付帯するバーコードを読み取り、撮影者ＩＤを取得したり、患者のベッドサイド又は患者の身体の一部に付帯されたバーコードから患者ＩＤを取得したり、医用画像を記録するカセッテに付帯するバーコードからカセッテＩＤを取得する。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コード等である。
【００５３】
図３は、撮影装置３０の機能的構成を示すブロック図である。図３に示すように、医用画像撮影装置は、ＣＰＵ３１、入力部３２、表示部３３、通信制御部３４、ＲＡＭ３５、照射部３６、カセッテ格納部３７、記憶装置３８等を備えて構成され、各部はバス３９により接続されている。
【００５４】
ＣＰＵ３１は、記憶装置３８に記憶されているシステムプログラムや各種制御プログラムを読み出し、ＲＡＭ３５に展開し、該制御プログラムに従って各部の動作を集中制御する。また、ＣＰＵ３１は、ＲＡＭ３５に展開したプログラムに従って各種処理を実行し、その処理結果をＲＡＭ３５に一時記憶させるとともに、表示部３３に表示させる。
【００５５】
具体的に、ＣＰＵ３１は、記憶装置３８から医用画像撮影処理プログラムを読み出して、後述する医用画像撮影処理（図５参照）を実行し、本発明に記載される認証手段、撮影動作制御手段を実現する。
【００５６】
この医用画像撮影処理を実行するに際して、ＣＰＵ３１は、ケーブルＢにより接続されたＰＤＡ１０から、Ｉ／Ｆ３４を介して撮影者ＩＤを受信すると、記憶装置３８から後述する撮影者管理ファイル３８１を取得して、撮影者管理ファイル３８１から対応する撮影者ＩＤを検索する。この撮影者管理ファイル３８１から対応する撮影者ＩＤが検索された場合、ＣＰＵ３１は、撮影者が正規の撮影者であると判断して、認証が成功である旨の認証結果をＰＤＡ１０に送信する。
【００５７】
また、ＣＰＵ３１は、Ｉ／Ｆ３４を介してＰＤＡ１０から撮影条件を受信すると、当該撮影条件を取得して、撮影条件の設定を行う。さらに、Ｉ／Ｆ３４を介してＰＤＡ１０から撮影指示を受信すると、撮影指示に応じて照射部３６からＸ線を照射させて撮影を行う。そして、ＣＰＵ３１は、撮影を実行すると、撮影者ＩＤ、撮影オーダ情報及び撮影履歴情報をそれぞれ対応付けて撮影者管理ファイル３８１に格納する。ここで、撮影履歴情報は、撮影者が行った撮影の履歴に関する情報であり、例えば、実際に行われた撮影の実行条件として、撮影日時、解像度、感度、撮影サイズ、撮影方向、Ｘ線照射の線量情報等が含まれている。
【００５８】
さらに、ＣＰＵ１１は、撮影を終了する指示が入力された場合、医用画像撮影処理を終了する。なお、一旦医用画像撮影処理が終了されると、再度撮影者ＩＤを入力して認証を行わなければ、撮影を行うことができない。また、連続して撮影を行う場合は、認証を行わずに撮影を行うことができるが、所定時間（例えば、１５分程度）以上入力操作がない場合は、再度撮影者ＩＤを入力させて認証を行うことが好ましい。これにより、撮影装置３０のセキュリティをより向上させることができる。
【００５９】
入力部３２は、カーソルキー、数字入力キー、及び各種機能キー等を備えたキーボードを含み、このキーボードで押下されたキーに対応する押下信号をＣＰＵ３１に出力する。例えば、入力部３２は、医用画像の撮影に係る撮影条件、撮影指示等を入力する。なお、入力部３２は、必要に応じてマウス、タッチパネル等のポインティングデバイスや、その他の入力装置を備えることとしてもよい。
【００６０】
表示部３３は、ＬＣＤやＣＲＴ（Ｃａｔｈｏｄｅ  Ｒａｙ  Ｔｕｂｅ）等により構成され、ＣＰＵ３１から入力される表示信号の指示に従って、入力部３２からの入力指示やデータ等を表示する。
【００６１】
Ｉ／Ｆ３４は、本発明に記載される受信部の一例であり、ケーブルＢを介して送受信されるデータの形式や転送速度の調整を行い、ＰＤＡ１０との間でデータのやりとりを仲介する。また、ＰＤＡ１０との接続は有線に限らず、無線通信により接続される構成であっても良い。この場合、Ｉ／Ｆ３４は、ＩｒＤＡ（Ｉｎｆｒａｒｅｄ  Ｄａｔａ  Ａｓｓｏｃｉａｔｉｏｎ）等のデータ通信方式に基づいてデータ通信プロトコルを制御するデータ通信制御機能し、赤外線を利用して近距離通信を構成であってもよい。また、無線通信を行うための通信方式としては、ＩｒＤＡに限らず、例えば、Ｂｌｕｅｔｏｏｔｈ方式を採用してもよい。
【００６２】
ＲＡＭ３５は、ＣＰＵ１１により実行制御される各種処理において、記憶部装置３８から読み出されたＣＰＵ３１で実行可能なシステムプログラム、制御プログラム、入力若しくは出力データ、及びパラメータ等の一時的に記憶する記憶領域を形成する。
【００６３】
照射部３６は、ＣＰＵ３１からの制御に応じて、撮影条件により設定される放射線量、ＰＤＡ１０又は入力部３２から指示される照射タイミングに基づいて、被検体に対して放射線を円錐状に照射する。
【００６４】
カセッテ収納部３７は、撮影装置３０にカセッテ４０をセットするための保持手段を備え、内部に搭載したカセッテ４０を固定して保護する。また、カセッテ収納部３７は、撮影後に輝尽性蛍光体シートに光が照射され、蓄積、記録された医用画像が消滅するのを防止する。
【００６５】
記憶装置３８は、ＨＤＤ（Ｈａｒｄ  Ｄｉｓｃ  Ｄｒｉｖｅ）や不揮発性の半導体メモリ等により構成され、ＣＰＵ３１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成され、記憶装置３８に固定的、或いは着脱自在に装着するものである。これらの各種プログラムは、読取可能なプログラムコードの形態で格納され、ＣＰＵ３１は、当該プログラムコードに従った動作を逐次実行する。
【００６６】
また、記憶装置３８は、本発明に記載される撮影履歴情報を記憶する記憶装置の一例であり、撮影者ＩＤ、撮影オーダ情報及び撮影履歴情報を対応付けて記憶する撮影者管理ファイル３８１を格納している。また、撮影者管理ファイル３８１は、撮影者の認証を行う際に利用されるファイルであり、撮影者管理ファイル３８１に登録されている撮影者ＩＤは、予め撮影装置３０を操作する許可が与えられている撮影者の撮影者ＩＤであることを示している。
【００６７】
図４は、撮影者管理ファイル３８１のデータ構成例を示す図である。図４に示すように、撮影者管理ファイル３８１は、撮影者ＩＤ、撮影オーダ情報、撮影履歴情報のデータを格納しており、例えば、撮影者ＩＤの「ｓａｔｏ１２３４」である撮影者により行われた撮影は、４件であり、撮影ＩＤ毎に、撮影オーダ情報及び撮影履歴情報に含まれる各データが項目ごとにそれぞれ記憶されている。
【００６８】
次に、本実施の形態の動作を説明する。
なお、後述するフローチャートに記述されている各機能を実現するためのプログラムはコンピュータが読み取り可能なプログラムコードの形態でＰＤＡ１０の記憶装置１７又は撮影装置３０の記憶装置３８に格納されており、ＰＤＡ１０のＣＰＵ１１又は撮影装置３０のＣＰＵ３１は、当該プログラムコードに従った動作を逐次実行する。
【００６９】
図５は、ＰＤＡ１０のＣＰＵ１１により実行される医用画像撮影処理を示すフローチャートである。図５に示すように、ＣＰＵ１１は、操作部１２又はバーコードリーダ１８を介して撮影者ＩＤが入力されると（ステップＳ１）、入力された撮影者ＩＤをＩ／Ｆ１４を介して医用画像撮影装置に送信する（ステップＳ２）。次いで、ＣＰＵ１１は、Ｉ／Ｆ１４を介して撮影装置３０から認証結果を受信し（ステップＳ３）、撮影者ＩＤの認証が成功したか否かを判別する（ステップＳ４）。
【００７０】
認証が失敗であった場合（ステップＳ４；ＮＯ）、ＣＰＵ１１は、ステップＳ１に戻り、再度撮影者ＩＤを入力させて、認証を行わせる。なお、特定回数（例えば、３回）認証に失敗すると、本医用画像撮影処理を終了することが好ましい。また、認証が成功であった場合（ステップＳ４；ＹＥＳ）、ＣＰＵ１１は、操作部１２を介して撮影条件を入力させ、Ｉ／Ｆ１４を介して撮影条件を撮影装置３０に送信する（ステップＳ６）。なお、撮影条件とともに、撮影オーダ情報を送信することが好ましい。
【００７１】
続いて、ＣＰＵ１１は、操作部１２を介して撮影指示が入力されると（ステップＳ７）、Ｉ／Ｆ１４を介して撮影指示を撮影装置３０に送信し、撮影を行わせる。そして、ＣＰＵ１１は、撮影が終了したか否かの指示を入力させ、撮影を続行する指示が入力された場合（ステップＳ９；ＮＯ）、ＣＰＵ１１は、ステップＳ５に移行し、新たな撮影条件を入力させて、撮影を行わせる。一方、撮影を終了する指示が入力された場合（ステップＳ９；ＹＥＳ）、ＣＰＵ１１は、本医用画像撮影処理を終了する。
【００７２】
図６は、撮影装置３０のＣＰＵ３１により実行されるフローチャートである。図６に示すように、ＣＰＵ３１は、電源を投入する指示が入力されると、記憶装置３８から起動プログラムを読み出して、撮影装置３０の起動処理を実行する（ステップＳ１１）。次いで、ＣＰＵ３１は、表示部３３に認証画面を表示させて（ステップＳ１２）、ＰＤＡ１０を介して撮影者ＩＤを入力させる。
【００７３】
Ｉ／Ｆ３４を介して撮影者ＩＤを受信すると（ステップＳ１３）、ＣＰＵ３１は、記憶装置３８から撮影者管理ファイル３８１を取得して、対応する撮影者ＩＤの検索を行う（ステップＳ１５）。ここで、対応する撮影者ＩＤが撮影者管理ファイル３８１に登録されていない場合、ＣＰＵ３１は、認証が失敗したと判別して（ステップＳ１６；ＮＯ）、認証失敗の認証結果をＰＤＡ１０に送信する（ステップＳ２４）。そして、ステップＳ１３に移行して、再度撮影者ＩＤを入力させ、撮影者の認証を行う。
【００７４】
一方、対応する撮影者ＩＤが撮影者管理ファイル３８１に登録されている場合、ＣＰＵ３１は、認証が成功したと判別して（ステップＳ１６；ＹＥＳ）、認証成功の認証結果をＰＤＡ１０に送信する（ステップＳ１７）。続いて、ＣＰＵ３１は、ＰＤＡ１０から撮影条件を受信し（ステップＳ１８）、受信した撮影条件に基づいて、撮影条件の設定を行う（ステップＳ１９）。そして、ＣＰＵ３１は、Ｉ／Ｆ３４を介してＰＤＡ１０から撮影指示を受信すると（ステップＳ２０）、設定された撮影条件に基づいて照射部３６を制御して放射線を照射させ、撮影を実行する（ステップＳ２１）。
【００７５】
さらに、ＣＰＵ３１は、撮影者ＩＤと撮影履歴情報とを対応付けて撮影者管理ファイル３８１に記憶させる（ステップＳ２２）。この際、撮影オーダ情報を撮影者ＩＤに対応付けて記憶させても良い。続いて、ＣＰＵ３１は、撮影を終了するか否かを判別し（ステップＳ２３）、ＰＤＡ１０から撮影を終了する指示を受信した場合、撮影を終了すると判別して（ステップＳ２３；ＹＥＳ）、本医用画像撮影処理を終了する。また、ＰＤＡ１０から撮影を続ける指示を受信した場合、ＣＰＵ３１は、撮影を続行すると判別して（ステップＳ２３；ＮＯ）、ステップＳ１８に移行して、上述した処理を繰り返して実行する。
【００７６】
以上のように、移動可能な撮影装置３０により、回診先にて医用画像の撮影を行う医用画像撮影システム１において、撮影装置３０に接続されたＰＤＡ１０から、撮影者を一意的に特定する撮影者ＩＤを入力させ、撮影装置３０は、入力された撮影者ＩＤに基づいて撮影者の認証を行い、認証が成功した場合に、ＰＤＡ１０により撮影装置３０を操作させて撮影を行う。また、撮影装置３０により撮影を行った場合、撮影を行った撮影者の撮影者ＩＤと、撮影日時や撮影条件等を含む撮影履歴情報とを対応付けて撮影者管理ファイル３８１に記憶する。
【００７７】
これにより、回診先に撮影装置３０が搬送され、専門の技師以外の人間に撮影装置３０が操作可能な状態になった場合であっても、予め登録されている撮影者ＩＤを入力して、撮影者の認証が正しく行われない限りは、撮影装置３０の操作を行うことができない。すなわち、撮影者の認証が失敗した場合又は認証が行われていない場合に、ＰＤＡ１０の操作部１２又は撮影装置３０の入力部３２を介して、操作指示が入力されても、その操作指示は受けつけられず、その操作指示に応じて撮影装置３０が駆動されることはない。したがって、不用意に第３者により撮影装置３０が操作されることを防止して、回診先であっても安全な医用画像の撮影活動を行うことができる。
【００７８】
また、撮影者の認証を行った後、撮影が実行された場合、当該撮影を行った撮影者の撮影者ＩＤに対応付けて、撮影履歴情報を撮影者管理ファイル３８１に記憶するため、撮影装置３０に撮影者が行った撮影の履歴を記憶することができる。これにより、例えば、患者の取り違えや、オーダの取り違え等の医療ミスが発生した場合に、速やかに原因を究明して、再発防止に努めることができる。また、撮影履歴情報が記憶されるため、撮影者に対して医療ミス発生の抑止効果が得られる。
【００７９】
さらに、撮影者ＩＤは、バーコードリーダ１８により入力させるため、入力ミスを防止するとともに、認証に係る手間を省くことができ、効率良く医用画像の撮影を行うことができる。また、撮影者ＩＤは操作部１２を介して入力することも可能であるため、状況に応じて適当な入力手段から撮影者ＩＤを入力することができ、利便性が良い。
【００８０】
また、ＰＤＡ１０から、撮影条件や撮影指示を入力させることができるため、撮影装置３０の操作性を向上させることができる。また、撮影装置３０の入力部の構成を簡略化して、装置全体を小型化することができるため、撮影装置３０の搬送が容易になり、撮影者の負担を軽減することができる。
【００８１】
なお、上述した本実施の形態における記述は、本発明に係る好適な医用画像端末装置及び医用画像撮影システムの一例であり、これに限定されるものではない。
例えば、本実施の形態では、医用画像端末装置を携帯型のＰＤＡ１０に適用し、撮影装置３０が移動可能な撮影装置に適用し、回診先にて撮影を行う場合を例として説明を行ったが、例えば、医用画像端末装置が、一般的なパーソナルコンピュータ（ＰＣ）等で構成され、撮影装置３０は、撮影室に固定的に設けられる撮影装置であってもよい。また、ＰＤＡ１０は、携帯型通信端末であれば良く、例えば、携帯電話やノート型ＰＣ等であっても良い。
【００８２】
また、撮影者の識別情報としては、複数の数値を組み合わせた撮影者ＩＤやそのバーコードを適用する構成として説明を行ったが、これに限らず撮影者の名前や誕生日等により患者を識別する方法や、患者の指紋、掌紋、声紋、顔、虹彩、或いはＩＤカード等により撮影者を識別する構成であっても良い。この場合、ＰＤＡ１０が備える入力部として、これらの各データを入力可能な構成とすることが好ましい。また、これら複数の情報を組み合わせて患者の識別を行う構成であってもよく、より正確に撮影者の認証を行うことにより、医用画像撮影システム１全体のセキュリティを向上させることができる。
【００８３】
また、撮影者の識別情報として、ＰＤＡ１０に固有の識別情報、例えば、シリアル番号等を撮影装置３０に送信し、ＰＤＡ１０のシリアル番号に基づいて、撮影者の認証を行う構成であっても良い。つまり、各撮影者がそれぞれＰＤＡ１０を所持する場合、ＰＤＡ１０のシリアル番号で撮影者を特定することが可能のなるため、撮影者ＩＤを入力する手間を省くことができる。また、撮影者ＩＤ及びシリアル番号に基づいて撮影者の認証を行う構成であってもよく、より堅固なセキュリティシステムを構築することができる。
【００８４】
さらに、撮影者管理ファイル３８１に記憶する情報の例示は一例であり、上述した例に限らない。例えば、撮影オーダ情報は、担当医師名、感染症等を警告する警告情報、薬物アレルギーの有無、妊娠の有無、追加病歴、車椅子や担架等の特別な介護の必要性、臨床診断名、守秘事項、撮影方法（単純撮影、造影撮影等）、撮影予定日等が含まれる構成であってもよい。また、撮影オーダ情報が撮影者管理ファイル３８１に記憶されない構成であっても良い。
【００８５】
その他、本実施の形態における医用画像撮影システム１の各構成要素の細部構成及び細部動作に関しては、本発明の趣旨を逸脱することのない範囲で適宜変更可能であることはもちろんである。
【００８６】
【発明の効果】
請求項１、６、９又は１３のいずれか一項に記載の発明によれば、医用画像撮影装置を操作する際に、撮影者の識別情報を医用画像端末装置を介して医用画像撮影装置に取得させ、医用画像撮影装置において、撮影者の認証が成功した場合に、医用画像端末装置から送信された撮影指示に応じて、医用画像の撮影が行われるため、予め撮影者として登録されている撮影者以外による撮影指示による医用画像の撮影は行えず、不用意に第３者に医用画像撮影装置が操作されてしまうことを防止することができる。
【００８７】
請求項２又は１０記載の発明によれば、撮影者が認証されていない場合は、医用画像端末装置又は医用画像撮影装置の入力部から撮影指示が入力されても、撮影動作を行うことができず、誤って第３者により医用画像撮影装置が操作されることを防いで、安全に医用画像撮影装置を取り扱うことができる。
【００８８】
請求項３、７、１１、１４のいずれか一項に記載の発明によれば、医用画像端末装置を介して医用画像撮影装置に撮影条件を入力することができるため、操作性が良い。また、例えば、医用画像撮影装置の入力部を小型化することができるため、回診先に医用画像撮影装置を搬送して撮影を行う場合、容易に医用画像撮影装置を搬送することができ、迅速に医用画像の撮影を行うことができる。
【００８９】
請求項４、８、１２、１５のいずれか一項に記載の発明によれば、撮影者が行った撮影の履歴を撮影者の識別情報と対応付けて記憶するため、例えば、医療ミス等が発生した場合に、速やかに原因を究明して、医療ミスの再発を防止することができる。また、撮影者の撮影の履歴を記憶することにより、撮影者に対して医療ミス発生の抑止効果を期待することができる。
【００９０】
請求項４記載の発明によれば、医用画像端末装置が持ち運び可能な携帯型端末装置であるため、例えば、各撮影者のそれぞれに医用画像端末装置を携帯させることができ、特定の撮影者のみに医用画像装置の操作を可能にし、医用画像撮影システムのセキュリティを向上させることができる。また、医用画像端末装置を小型化することにより、例えば、回診先で撮影を行う場合に、機材の搬送が容易になり、撮影者の負担を軽減することができる。
【図面の簡単な説明】
【図１】本発明を適用した実施の形態における医用画像撮影システム１のシステム構成を示す概念図である。
【図２】図１に示すＰＤＡ１０の機能的構成を示すブロック図である。
【図３】図１に示す医用画像撮影装置３０の機能的構成を示すブロック図である。
【図４】図３の記憶装置３８に格納される撮影者管理ファイル３８１のデータ構成例を示す図である。
【図５】図２のＣＰＵ１１により実行される医用画像撮影処理を示すフローチャートである。
【図６】図３のＣＰＵ３１により実行される医用画像撮影処理を示すフローチャートである。
【符号の説明】
１    医用画像撮影システム
１０    ＰＤＡ
１１    ＣＰＵ
１２    操作部
１３    表示部
１４    Ｉ／Ｆ
１５    通信制御部
１６    ＲＡＭ
１７    記憶装置
１８    バーコードリーダ
１９    バス
２０    情報管理装置
３０    医用画像撮影装置
３１    ＣＰＵ
３２    入力部
３３    表示部
３４    Ｉ／Ｆ
３５    ＲＡＭ
３６    照射部
３７    カセッテ収納部
３８    記憶装置
３９    バス
４０    カセッテ
５０    医用画像読取装置
６０    制御装置
Ｎ      ネットワーク
【図１】
2004147907.tif 000003
【図２】
2004147907.tif 000004
【図３】
2004147907.tif 000005
【図４】
2004147907.tif 000006
【図５】
2004147907.tif 000007
【図６】
2004147907.tif 000008